(57)【特許請求の範囲】
【請求項１】
複数の型枠材が支柱部材に対して連続して設けられ且つ法面の前方に前記法面と並べて設置される前記法面を含む地盤にコンクリート構造物を施工するコンクリート打設用の残存型枠で、隣り合う前記型枠材に固定される支持金具であって、
前記隣り合う型枠材に挟まれ固定される第一部分と、
前記第一部分と一体をなし、前記支柱部材に係合し固定される第二部分と、
前記型枠材を前記法面の前方に一致する前記法面と前記残存型枠とが並ぶ整列方向の前側に押し付ける押圧力に対して前記支持金具の座屈を防止する座屈防止部と、を含み、
前記座屈防止部は、
前記第二部分に設けられ、
前記第二部分の一方側で窪んだ凹状の形状を有し、且つ前記第二部分の一方側とは反対の他方側で前記凹状に対応する凸状の形状を有する、支持金具。
【請求項２】
法面の前方に前記法面と並べて設置される前記法面を含む地盤にコンクリート構造物を施工するコンクリート打設用の残存型枠であって、
支柱部材と、
前記支柱部材に対して連続して設けられる複数の型枠材と、
前記支柱部材に係合し固定され且つ隣り合う前記型枠材に挟まれ固定される請求項１に記載の支持金具と、を備え、
前記複数の型枠材は、前記法面と前記残存型枠との間の第一空間に埋め戻される埋戻土と接し、前記埋戻土が前記第一空間に埋め戻された状態で前記埋戻土によって前記法面の前方に一致する前記法面と前記残存型枠とが並ぶ整列方向の前側に押し付けられる、残存型枠。
【請求項３】
法面を含む地盤へのコンクリート構造物の施工方法であって、
請求項２に記載の残存型枠を前記法面の前方に前記法面と並べて設置する型枠工程と、
前記型枠工程の開始後、前記法面と前記残存型枠との間の第一空間を埋戻土で埋め戻す埋戻工程と、
前記型枠工程及び前記埋戻工程の開始後、前記残存型枠の前記法面の前方に一致する前記法面と前記残存型枠とが並ぶ整列方向の前側に前記残存型枠によって形成される第二空間にコンクリートを打設する打設工程と、を含む、施工方法。
【発明の詳細な説明】
【技術分野】
【０００１】
本発明は、コンクリート打設用の残存型枠の支持金具、コンクリート打設用の残存型枠及び法面を含む地盤へのコンクリート構造物の施工方法に関する。
【背景技術】
【０００２】
発明者による特許文献１は、木質残存型枠に関する技術を開示する。木質残存型枠は、複数の支柱部材と、複数の鋼棒と、複数の木質型枠材と、複数の支持金具とにより構成される。支持金具は、板状金具本体と、第一突起とを備える。板状金具本体は、支柱部材に対して相対移動を規制され隣り合う木質型枠材の間に挟まれる。第一突起は、板状金具本体から突出する。第一突起は、木質型枠材に食い込み、板状金具本体と木質型枠材との相対移動を規制する。
【先行技術文献】
【特許文献】
【０００３】
【特許文献１】特開２０１１−３８３４３号公報
【発明の概要】
【発明が解決しようとする課題】
【０００４】
地盤にコンクリート構造物を施工する場合、コンクリート打設用の残存型枠が用いられることがある。コンクリート構造物の例としては、コンクリート擁壁及び谷止工が挙げられる。このようなコンクリート構造物は、地盤を掘削して形成される不安定な法面に近接して施工されることがある。この場合、作業者は、不安定な法面を背にし又はこれと向かい合って作業しなければならないことがある。発明者は、掘削された法面からの落下物及びこの法面の崩壊に注意し、作業を安全に行う必要がある点に着目しつつ、このような状況下で実施されるコンクリート構造物の施工技術について検討した。
【０００５】
本発明は、コンクリート構造物の施工を安全且つ円滑に進め、コンクリート構造物の工期を短縮することができる技術を提供することを目的とする。
【課題を解決するための手段】
【０００６】
本発明の一側面は、複数の型枠材が支柱部材に対して連続して設けられ且つ法面の前方に前記法面と並べて設置される前記法面を含む地盤にコンクリート構造物を施工するコンクリート打設用の残存型枠で、隣り合う前記型枠材に固定される支持金具であって、前記隣り合う型枠材に挟まれ固定される第一部分と、前記第一部分と一体をなし、前記支柱部材に係合し固定される第二部分と、前記型枠材を前記法面の前方に一致する前記法面と前記残存型枠とが並ぶ整列方向の前側に押し付ける押圧力に対して前記支持金具の座屈を防止する座屈防止部と、を含み、前記座屈防止部は、前記第二部分に設けられ、前記第二部分の一方側で窪んだ凹状の形状を有し、且つ前記第二部分の一方側とは反対の他方側で前記凹状に対応する凸状の形状を有する、支持金具である。
【０００７】
本発明の他の側面は、法面の前方に前記法面と並べて設置される前記法面を含む地盤にコンクリート構造物を施工するコンクリート打設用の残存型枠であって、支柱部材と、前記支柱部材に対して連続して設けられる複数の型枠材と、前記支柱部材に係合し固定され且つ隣り合う前記型枠材に挟まれ固定される請求項１に記載の支持金具と、を備え、前記複数の型枠材は、前記法面と前記残存型枠との間の第一空間に埋め戻される埋戻土と接し、前記埋戻土が前記第一空間に埋め戻された状態で前記埋戻土によって前記法面の前方に一致する前記法面と前記残存型枠とが並ぶ整列方向の前側に押し付けられる、残存型枠である。
【０００８】
上述の支持金具及び残存型枠によれば、支持金具の座屈強度を高め、支持金具に圧縮力を作用させることができる。残存型枠の設置時、連続して設けられた複数の型枠材を整列方向の前側に押し付けることが可能となる。従って、第二空間へのコンクリート打設前に、第一空間を埋め戻すことができる。その後、第二空間にコンクリートを打設することができる。
【０００９】
本発明の更に他の側面は、法面を含む地盤へのコンクリート構造物の施工方法であって、上述の残存型枠を前記法面の前方に前記法面と並べて設置する型枠工程と、前記型枠工程の開始後、前記法面と前記残存型枠との間の第一空間を埋戻土で埋め戻す埋戻工程と、前記型枠工程及び前記埋戻工程の開始後、前記残存型枠の前記法面の前方に一致する前記法面と前記残存型枠とが並ぶ整列方向の前側に前記残存型枠によって形成される第二空間にコンクリートを打設する打設工程と、を含む、施工方法である。
【００１０】
この施工方法によれば、第二空間へのコンクリート打設前に、第一空間を埋め戻すことができる。その後、第二空間にコンクリートを打設することができる。法面を早期に安定化させることができる。埋め戻される第一空間の上方からこの第一空間への落下物を低減することができる。
【発明の効果】
【００１１】
本発明によれば、コンクリート構造物の施工を安全且つ円滑に進め、コンクリート構造物の工期を短縮することができる。
【図面の簡単な説明】
【００１２】
【図１】残存型枠の概略構成の一例を模式的に示す斜視図である。
【図２】コンクリート構造物の概略構成の一例を示す斜視図である。
【図３】支持金具の概略構成の一例を示す斜視図である。（Ａ）は、残存型枠の状態で配置方向の第二側となる側から見た態様を示す。（Ｂ）は、残存型枠の状態で配置方向の第一側となる側から見た態様を示す。
【図４】支持金具の概略構成の一例を示す平面図である。支柱部材と型枠材との接続態様を示す。法面側の残存型枠に対応する。
【図５】コンクリート構造物の施工方法の型枠工程の概略構成の一例を示す断面図である。切断位置は、図４のＡ−Ａ線に対応する。
【図６】図５のＹ矢視図である。
【図７】図４のＢ−Ｂ線断面図である。
【図８】コンクリート構造物の施工方法の概略構成の一例を示す斜視図である。施工方法の施工手順の第二手順（型枠工程の第二段階）を示す。第二手順の終了後に対応する。
【図９】コンクリート構造物の施工方法の概略構成の一例を示す斜視図である。施工方法の施工手順の第三手順（埋戻工程の第一段階）を示す。第三手順の終了後に対応する。
【図１０】コンクリート構造物の施工方法の概略構成の一例を示す斜視図である。施工方法の施工手順の第四手順（型枠工程の第三段階）を示す。第四手順の終了後に対応する。
【図１１】コンクリート構造物の施工方法の概略構成の一例を示す斜視図である。施工方法の施工手順の第五手順（埋戻工程の第二段階）を示す。第五手順の終了後に対応する。
【図１２】コンクリート構造物の施工方法の概略構成の一例を示す斜視図である。施工方法の施工手順の第六手順（型枠工程の第四段階）を示す。第六手順の実施途中に対応する。
【図１３】コンクリート構造物の施工方法の概略構成の一例を示す斜視図である。施工方法の施工手順の第七手順（型枠工程の第五段階）及び第八手順（打設工程）を示す。一対の残存型枠の完成状態を示す。第七手順の終了後で且つ第八手順の開始前に対応する。
【発明を実施するための形態】
【００１３】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成に置換してもよい。本発明は、他の構成を含んでもよい。図面は、所定の構成を模式的に示す。各図面は、他の図面との対応が正確ではない場合もある。ハッチングは、切断面を示す。破線は、かくれ線である。二点鎖線は、想像線である。
【００１４】
＜残存型枠１０，１１及びコンクリート構造物１５＞
残存型枠１０，１１及びコンクリート構造物１５について、図１〜７を参照して説明する。一対の残存型枠１０，１１は、地盤にコンクリート構造物１５を施工する場合の成形用型枠である（図１，２及び後述する図１３参照）。地盤は、広く解釈される。例えば、地盤は、自然のままの地盤（地山）と、人工的な地盤とを含む。
【００１５】
残存型枠１０は、コンクリート構造物成形用の型枠の第一面を形成し、残存型枠１１は、コンクリート構造物成形用の型枠の第二面を形成する。但し、残存型枠１０，１１は、コンクリート構造物１５に残存し、且つコンクリート構造物１５の外面を形成する（図２参照）。即ち、残存型枠１０は、コンクリート構造物１５に残存し、且つコンクリート構造物１５の第一外面を形成し、残存型枠１１は、コンクリート構造物１５に残存し、且つコンクリート構造物１５の第二外面を形成する。
【００１６】
実施形態では、地盤へのコンクリート構造物１５の施工方法を、単に「施工方法」という。施工方法については後述する。コンクリート構造物１５は、地盤に設けられ、少なくとも一部が埋戻土で埋め戻されるコンクリート製の各種の構造物を含む。このようなコンクリート構造物１５の例としては、コンクリート擁壁及び谷止工が挙げられる。
【００１７】
実施形態では、地盤に施工されるコンクリート構造物１５として、コンクリート擁壁を例とする（図２参照）。この場合、施工方法の実施に先立ち、コンクリート構造物１５の設置場所を含む範囲で地盤が掘削される。掘削は、広く解釈される。例えば、掘削は、床掘りを含む。掘削後の地形は、法面Ｅを含み、法面Ｅの前方に平らな面を含む。法面Ｅは、傾斜面であり、急斜面となることもある（図１，２参照）。例えば、法面Ｅの前方は、地盤の勾配の下方側である。この平らな面には、コンクリート製の基礎９０が設けられる（図１，２参照）。実施形態では、基礎９０の上面を「基礎面９１」という。
【００１８】
残存型枠１０，１１は、基礎９０に設けられる（図１，２及び後述する図８〜１３参照）。残存型枠１０は、法面Ｅの前方に法面Ｅと並べて設置され、残存型枠１１は、残存型枠１０の前方に残存型枠１０と並べて設置される。つまり、法面Ｅ及び残存型枠１０，１１は、法面Ｅの前方に向かって、法面Ｅ、残存型枠１０及び残存型枠１１の順で並ぶ。実施形態では、法面Ｅと残存型枠１０とが並ぶ方向を「整列方向」という。法面Ｅの前方に一致する整列方向の一方側を「前側」といい、前側とは反対となる整列方向の他方側を「後側」という。整列方向は、法面Ｅ、残存型枠１０及び残存型枠１１が並ぶ方向ともいえる。法面Ｅ及び残存型枠１０，１１は、整列方向の後側から前側に、法面Ｅ、残存型枠１０及び残存型枠１１の順で並べて設置される。
【００１９】
残存型枠１０は、法面Ｅと所定の距離離間して設けられ、残存型枠１１は、残存型枠１０と所定の距離離間して設けられる（図１，２及び後述する図１３参照）。法面Ｅと残存型枠１０との間には、第一空間Ｓ１が形成され、残存型枠１０の整列方向の前側には、残存型枠１０によって第二空間Ｓ２が形成される。第一空間Ｓ１は、埋め戻される（図１，２参照）。第二空間Ｓ２は、完成後のコンクリート構造物１５のコンクリート部分に対応する（図１，２及び後述する図１３参照）。例えば、コンクリート構造物１５がコンクリート擁壁である場合（図２参照）、第二空間Ｓ２は、完成後のコンクリート擁壁のコンクリート部分に対応する。この他、コンクリート構造物１５が谷止工である場合、第二空間Ｓ２は、完成後の谷止工のコンクリート部分に対応する。第二空間Ｓ２は、残存型枠１０，１１の間となる残存型枠１０，１１内の空間であり、残存型枠１０と共に残存型枠１１によって形成される。第二空間Ｓ２には、コンクリートが打設される。
【００２０】
残存型枠１０，１１は、複数の支柱部材２０と、複数の連結材３０と、複数の型枠材４０と、複数の支持金具５０とをそれぞれ備える（図１〜３参照）。実施形態では、残存型枠１０，１１は、整列方向に異なる構造を有する（図１参照）。但し、残存型枠１０，１１は、整列方向に線対称な構造又はこれと同様の構造としてもよい。図１，２及び後述する図８〜１３では、複数の支柱部材２０、複数の連結材３０及び複数の型枠材４０のうちの任意の支柱部材２０、連結材３０及び型枠材４０に対して符号「２０」、「３０」及び「４０」を付している。図１では、支持金具５０の図示を簡略化している。図４〜７は、残存型枠１０に基づく。
【００２１】
支柱部材２０は、基礎９０に固定される（図１参照）。基礎９０には、アンカーが設置される。支柱部材２０は、このアンカーを介して基礎９０に固定される。但し、このような基礎９０に対する支柱部材２０の固定方法は例示である。この固定方法は、アンカーによる方法とは異なっていてもよい。この固定方法は、諸条件を考慮して適宜決定される。
【００２２】
残存型枠１０の支柱部材２０は、縦材２１と、横材２２と、斜材２３とを含む（図１参照）。縦材２１、横材２２及び斜材２３は一体をなす。残存型枠１１の支柱部材２０は、縦材２１を含み、横材２２と斜材２３とを含まない（図１参照）。残存型枠１１の支柱部材２０は、縦材２１によって形成される。但し、残存型枠１０，１１でのこのような支柱部材２０の構造は例示である。残存型枠１０，１１での支柱部材２０の構造は、諸条件を考慮して適宜決定される。
【００２３】
縦材２１は、基礎９０上に起立する（図１参照）。縦材２１の配置方向の第一側の端部は、基礎９０内に設けてもよい。残存型枠１０の支柱部材２０で縦材２１は、傾斜角θ１で傾斜する。傾斜角θ１は、残存型枠１０の支柱部材２０の縦材２１と基礎面９１とのなす角である。残存型枠１１の支柱部材２０で縦材２１は、傾斜角θ２で傾斜する。傾斜角θ２は、残存型枠１１の支柱部材２０の縦材２１と基礎面９１とのなす角である。但し、縦材２１は、直立してもよい（θ１，θ２＝９０°）。残存型枠１０，１１では、傾斜角θ１，θ２は、異なる角度であってもよく（θ１≠θ２  図１参照）、又は同じ角度であってもよい（θ１＝θ２  不図示）。傾斜角θ１，θ２は、諸条件を考慮して適宜決定される。
【００２４】
残存型枠１０で複数の支柱部材２０は、完成後のコンクリート構造物１５で整列方向の後側となる面に沿って一定の間隔で基礎９０に設けられる（図１及び後述する図８〜１２参照）。残存型枠１１で複数の支柱部材２０は、完成後のコンクリート構造物１５で整列方向の前側となる面に沿って一定の間隔で基礎９０に設けられる（図１参照）。
【００２５】
残存型枠１０の支柱部材２０で横材２２は、縦材２１の配置方向の第一側に固定される（図１参照）。横材２２は、基礎９０上で基礎面９１に沿って設けられる。残存型枠１０の支柱部材２０で斜材２３は、一端で縦材２１に固定され、他端で横材２２に固定される（図１参照）。残存型枠１０で１本の支柱部材２０に対して設ける斜材２３の数は、１本としてもよい（図１参照）。但し、残存型枠１０で１本の支柱部材２０に対して設ける斜材２３の数は、複数としてもよい（後述する図１０〜１３参照）。斜材２３の本数と縦材２１及び横材２２に対する斜材２３の固定位置とは、諸条件を考慮して適宜決定される。
【００２６】
斜材２３は、後述する押圧力と次の内圧とに対して残存型枠１０の支柱部材２０を補強する。斜材２３は、前述の押圧力によって残存型枠１０の支柱部材２０の縦材２１が整列方向の前側に倒れることを防止し、更に、前述の内圧によってこの縦材２１が整列方向の後側に倒れることを防止する。前述の内圧は、打設工程で第二空間Ｓ２にコンクリートを充填することで生じる。打設工程については後述する。
【００２７】
実施形態では、支柱部材２０は、縦材２１にリップ溝型鋼を採用する。リップ溝型鋼は、ＪＩＳ  Ｇ３３５０：２０１７に規定される。縦材２１は、矩形の断面形状を有する（図４参照）。但し、縦材２１では、矩形状に配置される４つの外面のうちの１つの外面に軸方向に亘って開口する溝が形成される。実施形態では、この溝の開口によって２分割された縦材２１の外面を「分割外面２７」という。
【００２８】
横材２２及び斜材２３は、鋼製（リップ溝型鋼）の縦材２１と同様、鋼製としてもよい。縦材２１、横材２２及び斜材２３が鋼製である場合、次の固定は、溶接としてもよい。前述の固定は、縦材２１と横材２２との固定と、縦材２１と斜材２３との固定と、横材２２と斜材２３との固定とである。但し、前述の固定に用いる固定法は、溶接とは異なっていてもよい。この固定法は、諸条件を考慮して適宜決定される。
【００２９】
支柱部材２０は、分割外面２７が整列方向に沿った配置となる状態で基礎９０に固定される。換言すれば、支柱部材２０は、分割外面２７が整列方向の前側及び後側に配置されていない状態で基礎９０に固定される。但し、支柱部材２０が基礎９０に固定された状態を基準とした場合、縦材２１での溝の開口の配置は、諸条件を考慮して適宜決定される。実施形態では、整列方向に沿った次の２つの板状部分を「爪２５，２６」という。前述の２つの板状部分は、分割外面２７でこの開口を挟んで対向する。
【００３０】
連結材３０は、残存型枠１０の支柱部材２０と残存型枠１１の支柱部材２０とを連結する。連結材３０は、一端で残存型枠１０の支柱部材２０に固定され、他端で残存型枠１１の支柱部材２０に固定される（図１参照）。実施形態では、残存型枠１０，１１の支柱部材２０に対する連結材３０の固定位置は、縦材２１である。連結材３０は、鋼製（リップ溝型鋼）の縦材２１と同様、鋼製としてもよい。縦材２１及び連結材３０が鋼製である場合、縦材２１と連結材３０との固定は、溶接としてもよい。但し、前述の固定に用いる固定法は、溶接とは異なっていてもよい。この固定法は、諸条件を考慮して適宜決定される。
【００３１】
型枠材４０は、木製の長尺材である。木製は、広く解釈される。例えば、木製は、木を主とした材料であればよく、他の材料を含む複合材であってもよい。他の材料の例としては、樹脂及び金属が挙げられる。例えば、型枠材４０は、間伐材によって形成することが好ましい。これにより、間伐材を有効利用することができる。但し、型枠材４０は、木製とは異なる材料製としてもよい。例えば、型枠材４０は、樹脂製若しくは金属製としてもよく、又は樹脂若しくは金属を主とした材料製としてもよい。型枠材４０の材質は、諸条件を考慮して適宜決定される。
【００３２】
型枠材４０とする長尺材の例としては、棒材が挙げられる。この場合、型枠材４０は、互いに平行な２平面を含む棒材としてもよい。実施形態では、型枠材４０は、角材である。角材は、矩形の断面形状を有する。矩形の断面形状を形成する４平面では、２組の互いに対向する２平面は、平行な配置となる。この他、型枠材４０は、次の３平面を含む棒材としてもよい。例えば、前述の３平面は、互いに平行な２平面と、この２平面とは平行ではない１平面とである。この場合、この１平面は、平行な２平面に対して垂直であってもよい。
【００３３】
複数の型枠材４０は、支柱部材２０に対して縦材２１の外面に沿って連続して設けられる（図１，５，６参照）。前述の縦材２１の外面は、残存型枠１０では、整列方向の後側に配置され、残存型枠１１では、整列方向の前側に配置される。実施形態では、前述の外面を「配置外面２８」という。即ち、残存型枠１０では、複数の型枠材４０は、縦材２１の整列方向の後側の配置外面２８に沿って連続して設けられる。残存型枠１１では、複数の型枠材４０は、縦材２１の整列方向の前側の配置外面２８に沿って連続して設けられる。
【００３４】
実施形態では、第一型枠材に対して第二型枠材が配置される方向を「配置方向」という。配置方向の一方側を「第一側」といい、配置方向の他方側を「第二側」という。配置方向は、鉛直方向であってもよく、又は水平方向であってもよい。実施形態では、配置方向を鉛直方向とする。配置方向の第一側を鉛直方向の下側とし、配置方向の第二側を鉛直方向の上側とする。第一型枠材及び第二型枠材は、複数の型枠材４０のうち、互いに隣り合う２本の型枠材４０である。第二型枠材は、第一型枠材に対して配置方向の第二側に配置されることとする。この場合、第二型枠材は、第一型枠材に対して鉛直方向の上側に配置されることとなる。例えば、図１，２，５，６の３本の型枠材４０（４１，４２，４３）のうちの型枠材４１，４２に基づけば、型枠材４１が第一型枠材であり、型枠材４２が第二型枠材である。これとは異なり、これら３本の型枠材４０（４１，４２，４３）のうちの型枠材４２，４３に基づけば、型枠材４２が第一型枠材であり、型枠材４３が第二型枠材である。
【００３５】
残存型枠１０，１１では、型枠材４０は、次の状態で配置外面２８に沿って配置される（図５参照）。前述の状態では、型枠材４０の互いに平行な２平面が配置方向の第一側及び第二側に配置される。型枠材４０が互いに平行な２平面とは平行ではない１平面を含む場合、残存型枠１０では、この１平面は、整列方向の表側に配置されることが好ましく、残存型枠１１では、この１平面は、整列方向の裏側に配置されることが好ましい。複数の型枠材４０を積み上げることで、整列方向に残存型枠１０，１１に挟まれた第二空間Ｓ２が形成される（図１及び後述する図１３参照）。即ち、残存型枠１０，１１内には、第二空間Ｓ２が形成される。
【００３６】
支持金具５０は、支柱部材２０（縦材２１）と、型枠材４０とを接続する（図５，６参照）。複数の型枠材４０は、複数の支持金具５０を介して配置外面２８に沿って連続して設けられる。例えば、支持金具５０は、１．５〜３．２ｍｍの板厚の金属板をプレス成形して形成される。但し、支持金具５０を形成する金属板の板厚は、諸条件を考慮して適宜決定される。金属板のプレス成形時、支持金具５０には、後述する各部が一体成形される。従って、支持金具５０は、一体構造を有する（図３参照）。支持金具５０を形成する金属板の例としては、鋼板が挙げられる。
【００３７】
支持金具５０は、第一部分５５と、第二部分６５と、座屈防止部７０とを含む（図３〜５参照）。支持金具５０を金属板から形成することで、第一部分５５及び第二部分６５は、板状の形状を有する（図３参照）。
【００３８】
第一部分５５は、型枠材４０に固定される（図５，６参照）。第一部分５５は、第一型枠材と第二型枠材とに挟まれる。第一型枠材及び第二型枠材は、上述した通りである。
【００３９】
第一部分５５には、取付孔５６が設けられ、更に、第一部分５５は、突起５７と、第一止め部６０と、第二止め部６１とを含む（図３〜５参照）。実施形態では、第一部分５５は、３つの取付孔５６を有し、３つの突起５７を含む。但し、取付孔５６及び突起５７の数は、３つでなくてもよい。１つの支持金具５０で第一部分５５に設ける取付孔５６及び突起５７の数は、諸条件を考慮して適宜決定される。この場合、取付孔５６及び突起５７の数は、同じであってもよく、又は異なっていてもよい。更に、第一部分５５での取付孔５６及び突起５７の配置も、諸条件を考慮して適宜決定される。
【００４０】
取付孔５６は、板状の第一部分５５を貫通する（図３，５参照）。取付孔５６には、締結具９５が通される（図５参照）。締結具９５の例としては、釘及びねじが挙げられる。型枠材４０が木製である場合、ねじとしては、木ねじを採用することができる。締結具９５が釘又は木ねじであるとする。この場合、締結具９５は、取付孔５６を通過して第一型枠材に食い込み、これに取り付けられる。締結具９５の頭部は、取付孔５６の開口縁部に引っ掛かる。第一部分５５は、締結具９５によって第一型枠材に固定される。
【００４１】
突起５７は、残存型枠１０，１１の状態で配置方向の第二側に突出する（図３（Ａ）及び図５，６参照）。突起５７は、突出端側（配置方向の第二側）が尖った三角形状を有する（図３（Ａ）及び図６参照）。突起５７は、第一部分５５の配置方向の第二側の面（平面）に対して直交する方向に屈曲成形される（図３（Ａ）及び図５，６参照）。突起５７は、支持金具５０のプレス成形時、素材となる金属板から切り起こされる。支持金具５０（第一部分５５）は、突起５７が切り起こされた部分に貫通孔５８を有する（図３〜５参照）。突起５７は、第二型枠材に食い込み、これに取り付けられる（図５，６参照）。第一部分５５は、突起５７によって第二型枠材に固定される。第一部分５５が締結具９５によって第一型枠材に固定され且つ突起５７によって第二型枠材に固定されることで、１つの支持金具５０は、第一型枠材及び第二型枠材に固定され、これらと繋がる。換言すれば、第一型枠材及び第二型枠材は、支持金具５０によって固定される。
【００４２】
第一止め部６０及び第二止め部６１は、突起５７より第二部分６５の側に設けられる（図３〜６参照）。第一止め部６０は、残存型枠１０，１１の状態で配置方向の第一側に突出し、第一型枠材の配置外面２８側の面と接する（図３（Ｂ）及び図５参照）。実施形態では、型枠材４０（第一型枠材及び第二型枠材）の配置外面２８側の面は、平面である。第一止め部６０は、第一部分５５の配置方向の第一側の面（平面）に対して直交する方向に屈曲成形される（図３（Ｂ）及び図５，６参照）。
【００４３】
第二止め部６１は、残存型枠１０，１１の状態で配置方向の第二側に突出し、第二型枠材の配置外面２８側の面と接する（図３（Ａ）及び図５参照）。第二止め部６１は、第一部分５５の配置方向の第二側の面（平面）に対して直交する方向に屈曲成形される（図３（Ａ）及び図５，６参照）。第二止め部６１は、突起５７と同様、支持金具５０のプレス成形時、素材となる金属板から切り起こされる。支持金具５０は、第二止め部６１が切り起こされた部分に貫通孔６２を有する（図３，４参照）。実施形態では、貫通孔６２が設けられる前述の部分は、第二部分６５に含まれる。
【００４４】
第二部分６５は、第一部分５５と一体をなし、支柱部材２０（縦材２１）に固定される（図３，４参照）。実施形態では、支柱部材２０は、地盤上の基礎９０に設けられる（図１参照）。従って、第二部分６５は、第一部分５５と一体をなし、地盤側に固定される（図１，３，４参照）。第二部分６５は、支柱収容部６７と、くびれ部６８とを含む（図３，４参照）。支柱収容部６７は、縦材２１の溝内に収容される（図４参照）。支柱収容部６７の幅は、根元から先端に向かって漸次減少する。
【００４５】
くびれ部６８は、支柱収容部６７の根元側で支柱収容部６７と隣り合って形成される（図３，４参照）。くびれ部６８は、支柱収容部６７の根元側の部分に対してくびれた形状を有する。支柱収容部６７が縦材２１の溝内に収容された状態で、くびれ部６８には、縦材２１の一対の爪２５，２６が嵌まり込む（図４参照）。これに伴い、支持金具５０は、支柱部材２０と係合する。
【００４６】
第二部分６５は、支柱収容部６７が縦材２１の溝内に収容された状態で、縦材２１に溶接されてもよい。この場合、溶接位置は、図４に示すＣ部及びＤ部の一方又は両方としてもよい。第二部分６５を縦材２１に溶接することで、支柱部材２０に対する支持金具５０の配置方向の位置を固定することができる。但し、溶接位置は、Ｃ部及びＤ部とは異なる位置としてもよい。溶接位置は、諸条件を考慮して適宜決定される。
【００４７】
第二部分６５には、１つ又は複数の貫通孔を設けてもよい。例えば、支持金具５０は、第二部分６５に、上述の貫通孔６２と、これとは異なる貫通孔６６とを有する。貫通孔６２，６６は、板状の第二部分６５を貫通する。第二部分６５は、第一型枠材と第二型枠材とに挟まれずに露出する。第二部分６５に貫通孔６２，６６を設けることで、打設工程で打設されたコンクリートは、貫通孔６２，６６を通過し、配置方向の第一側から第二側又は第二側から第一側に移動することができる。第二部分６５の外周をコンクリートで満たすことができる。貫通孔６６によって、コンクリートが通過可能な縦材２１の溝内の領域を増加させることができる。コンクリートは、縦材２１の溝内を支柱収容部６７に遮られることなく前述した通り配置方向に移動することができる。縦材２１の溝内をコンクリートで満たすことができる。打設工程を円滑に行うことができる。コンクリート構造物１５の内部で第二部分６５の外周に空隙が形成されることを抑制することができる。例えば、この空隙は、空気が溜まって生じる。打設工程時、空気も貫通孔６２，６６を通過する。貫通孔６２，６６によって、支持金具５０を軽量化することができる。打設工程については後述する。
【００４８】
第二部分６５に設ける貫通孔の数及び配置は、諸条件を考慮して適宜決定される。この他、第一部分５５にも、取付孔５６及び貫通孔５８とは異なる貫通孔を設けてもよい。第一部分５５に取付孔５６及び貫通孔５８とは異なる貫通孔を設ける場合、この貫通孔の数及び配置は、諸条件を考慮して適宜決定される。
【００４９】
座屈防止部７０は、第二部分６５に設けられる（図３〜５，７参照）。座屈防止部７０は、次の押圧力に対して支持金具５０の座屈を防止する（図４参照）。前述の押圧力は、型枠材４０を配置外面２８側に押し付ける。実施形態では、この押圧力は、残存型枠１０の型枠材４０を整列方向の前側に押し付ける。この点については後述する。座屈防止部７０は、第二部分６５の配置方向の第二側で、配置方向の第一側に窪んだ凹状の形状を有し、第二部分６５の配置方向の第一側で、この凹状に対応する配置方向の第一側に突出した凸状の形状を有する（図７参照）。実施形態では、配置方向の第一側は、鉛直方向の下側であり、配置方向の第二側は、鉛直方向の上側である。従って、座屈防止部７０は、第二部分６５の鉛直方向の上側で、鉛直方向の下側に窪んだ凹状の形状を有し、第二部分６５の鉛直方向の下側で、この凹状に対応する鉛直方向の下側に突出した凸状の形状を有する。このような形状を有する座屈防止部７０は、支持金具５０のプレス成形時、素材となる金属板を塑性変形させて形成される。
【００５０】
＜施工方法＞
施工方法について、図８〜１３，２を参照して説明する。上述した通り、コンクリート構造物１５の施工場所では、施工方法の実施に先立ち地盤が掘削される。その後、基礎９０が設けられる。その後、施工方法が実施される。施工方法は、型枠工程と、埋戻工程と、打設工程とを含む。
【００５１】
型枠工程は、残存型枠１０を法面Ｅの前方（整列方向の前側）に設置する（図８，１０，１２参照）。更に、型枠工程は、残存型枠１１を残存型枠１０の前方（整列方向の前側）に設置する（図１３参照）。型枠工程は、残存型枠１０，１１を設置するため、次の作業を含む。即ち、型枠工程は、複数の支柱部材２０を上述した状態で設置する。更に、型枠工程は、基礎９０に設置済みの支柱部材２０に支持金具５０を取り付ける。実施形態では、型枠工程は、くびれ部６８を縦材２１の一対の爪２５，２６に合わせ、支柱収容部６７を縦材２１の溝内に収容する（図４参照）。これに伴い、支柱部材２０の一対の爪２５，２６がくびれ部６８に嵌まり込み、支持金具５０が支柱部材２０と係合する。支持金具５０の整列方向の位置は、支柱部材２０に対して相対的に固定される。
【００５２】
例えば、くびれ部６８の爪２５，２６への嵌め込みは、次のようにして行うこともできる。先ず、作業者は、次の状態で支柱収容部６７を縦材２１の溝内に収容する。例えば、前述の状態では、支持金具５０の長手方向が縦材２１の長手方向に沿う。支持金具５０の長手方向は、支持金具５０で第一部分５５と第二部分６５が連続する方向に一致する。その後、作業者は、第一部分５５の配置方向の位置が第一側から第二側又は第二側から第一側へと移動するよう、支持金具５０を分割外面２７に沿って回転させる。これに伴い、作業者は、支持金具５０を爪２５，２６がくびれ部６８に嵌まり込んだ状態とすることができる。
【００５３】
続けて、型枠工程は、支持金具５０の第一部分５５を型枠材４０（第一型枠材）の配置方向の第二側の面上に配置する。このとき、支持金具５０は、第一止め部６０で型枠材４０（第一型枠材）の配置外面２８側の平面と接する。更に、型枠工程は、３つの締結具９５を第一部分５５の取付孔５６に通し、型枠材４０（第一型枠材）に取り付ける（図５参照）。締結具９５が釘又は木ねじであるとする。この場合、取付孔５６を通過した釘又は木ねじは、型枠材４０（第一型枠材）の配置方向の第二側の面に食い込む。これに伴い、この支持金具５０は、型枠材４０（第一型枠材）に対して固定される。この状態で、型枠工程は、図４に示すＣ部及びＤ部で第二部分６５を縦材２１に溶接してもよい。
【００５４】
次に、新たな型枠材４０（第二型枠材）を、縦材２１の配置外面２８に沿わせ、上述した設置済みの型枠材４０（第一型枠材）の配置方向の第二側に載せ置く（図５，６参照）。このとき、第二止め部６１を目安として、新たな型枠材４０（第二型枠材）を載せ置くことができる。即ち、第二型枠材の配置外面２８側の平面を第二止め部６１に接させる。これにより、支持金具５０、第一型枠材及び第二型枠材を位置決めすることができる。例えば、配置方向に連続する複数の型枠材４０で配置外面２８側の面を整列配置することができる（図５参照）。複数の型枠材４０と支柱部材２０（縦材２１）との間隔を一定とし、複数の型枠材４０を配置外面２８に沿って連続して設けることができる（図５参照）。
【００５５】
更に、この設置済みの型枠材４０（第一型枠材）に固定された支持金具５０では、突起５７が配置方向の第二側に突出する。従って、この突起５７は、新たな型枠材４０（第二型枠材）の配置方向の第一側の面に食い込む。これに伴い、１つの支持金具５０が配置方向に隣り合う型枠材４０（第一型枠材及び第二型枠材）に固定され、これらと繋がる。２本の型枠材４０（第一型枠材及び第二型枠材）の間には、第一部分５５の板厚に相当する隙間Ｇが形成される（図５，６参照）。
【００５６】
その後、型枠工程では、上記で第二型枠材とした型枠材４０を第一型枠材として、上述した作業が繰り返される。型枠工程は、設計通りの数の型枠材４０を配置方向に組み上げた場合に終了する。型枠工程によって、残存型枠１０，１１が掘削された地盤に設けた基礎９０上に形成される（図１３参照）。
【００５７】
埋戻工程は、型枠工程の開始後に実施される。例えば、埋戻工程は、型枠工程の実施途中に実施される。但し、埋戻工程は、型枠工程の終了後に実施されてもよい。型枠工程の開始後、埋戻工程の実施タイミングは、諸条件を考慮して適宜決定される。埋戻工程は、残存型枠１０，１１のうちの次の残存型枠を対象とする。前述の残存型枠は、法面Ｅ側の残存型枠１０である。従って、埋戻工程は、第一空間Ｓ１を埋戻土で埋め戻す。換言すれば、埋戻工程は、法面Ｅと向かい合う残存型枠１０の外面側を埋戻土で埋め戻す。
【００５８】
埋戻土は、設置済みの型枠材４０のうち、この埋め戻された埋戻土と接する型枠材４０を整列方向の前側に押し付ける。従って、この型枠材４０には、上述した押圧力が作用する。これに伴い、支持金具５０には圧縮力が作用し、支持金具５０は、圧縮される。但し、支持金具５０は、座屈防止部７０によってこの圧縮力に抗し、埋め戻し前の状態のまま複数の型枠材４０を支持する。
【００５９】
打設工程は、型枠工程及び埋戻工程の開始後に実施される。例えば、打設工程は、型枠工程及び埋戻工程の終了後に実施される。但し、埋戻工程の実施タイミングは、諸条件を考慮して適宜決定される。打設工程は、残存型枠１０の整列方向の前側に残存型枠１０によって形成される第二空間Ｓ２にコンクリートを打設する（図１３，２参照）。即ち、打設工程では、一対の完成した残存型枠１０，１１の間となる残存型枠１０，１１内の第二空間Ｓ２にコンクリートが充填される。残存型枠１０，１１では、コンクリート打設後、コンクリートに含まれる余分な水分を隙間Ｇから排出することができる。コンクリートの強度を高めることができる。
【００６０】
＜施工手順＞
施工方法での型枠工程、埋戻工程及び打設工程の施工手順について説明する。この施工方法の施工手順は、次の第一手順〜第八手順を含む（図８〜１３，２参照）。第一手順は、型枠工程の第一段階である。第二手順は、型枠工程の第二段階である（図８参照）。第三手順は、埋戻工程の第一段階である（図９参照）。第四手順は、型枠工程の第三段階である（図１０参照）。第五手順は、埋戻工程の第二段階である（図１１参照）。第六手順は、型枠工程の第四段階である（図１２参照）。第七手順は、型枠工程の第五段階である（図１３参照）。第八手順は、打設工程である（図１３，２参照）。
【００６１】
型枠工程に関し、第一手順、第二手順、第四手順及び第六手順（型枠工程の第一段階から第四段階）は、残存型枠１０を施工し、第七手順（型枠工程の第五段階）は、残存型枠１１を施工する。第一手順、第二手順、第四手順、第六手順及び第七手順では、型枠工程が上述したように実施され、残存型枠１０，１１が施工される。
【００６２】
第一手順は、基礎９０に残存型枠１０の支柱部材２０を設置する。第二手順は、所定数の型枠材４０を配置外面２８に沿って配置方向の第一側から第二側に組み上げる（図８参照）。例えば、第一手順では、複数の型枠材４０を配置方向に１ｍ程度組み上げる。
【００６３】
第三手順は、第一空間Ｓ１となる次の部分を埋戻土で埋め戻す（図９参照）。前述の部分は、法面Ｅと第一手順で組み上げられた複数の型枠材４０による残存型枠１０の部分との間である。
【００６４】
第四手順は、第二手順（型枠工程の第二段階）にて組み上げた複数の型枠材４０上に、更に所定数の型枠材４０を配置外面２８に沿って配置方向の第一側から第二側に組み上げる（図１０参照）。第四手順では、第一手順で支柱部材２０に設置済みの斜材２３に加え、２本目の斜材２３が設置される。実施形態では、２本目の斜材２３は、設置済みの斜材２３の配置方向の第二側に設置される。但し、２本目の斜材２３は、第一手順で設置してもよい。斜材２３の数を増加させることで、残存型枠１０の支柱部材２０の強度をより高めることができる。
【００６５】
第五手順は、第一空間Ｓ１となる次の部分を埋戻土で埋め戻す（図１１参照）。前述の部分は、法面Ｅと第二手順及び第四手順で組み上げられた複数の型枠材４０による残存型枠１０の部分との間で、且つ第三手順（埋戻工程の第一段階）で埋め戻された埋戻土上である。
【００６６】
第六手順は、第四手順（型枠工程の第三段階）にて組み上げた複数の型枠材４０上に、更に所定数の型枠材４０を配置外面２８に沿って配置方向の第一側から第二側に組み上げる（図１２参照）。第六手順の終了に伴い、残存型枠１０が完成する。
【００６７】
第七手順は、基礎９０に残存型枠１１の支柱部材２０を設置し、型枠材４０を配置外面２８に沿って配置方向の第一側から第二側に組み上げる。第七手順の終了に伴い、残存型枠１１が完成する。即ち、これに伴い、一対の残存型枠１０，１１が完成する。
【００６８】
第八手順は、第二空間Ｓ２にコンクリートを打設する（図１３，２参照）。第八手順の終了に伴い、施工方法は終了する。コンクリートが硬化することで、コンクリート構造物１５が完成する（図２参照）。残存型枠１０，１１を用いる施工方法では、施工方法の終了後、残存型枠１０，１１は除去されない。残存型枠１０，１１は、第二空間Ｓ２に充填されたコンクリートと共にコンクリート構造物１５を形成する。
【００６９】
上述した施工方法の施工手順は例示である。従って、型枠工程、埋戻工程及び打設工程は、このような施工方法の施工手順とは異なる順序で実施されてもよい。実施形態では、第一空間Ｓ１は、全体が埋戻土で埋め戻されず、第一空間Ｓ１の配置方向の第二側の一部は、第五手順（埋戻工程の第二段階）で埋め戻された埋戻土上に空間のまま残存する（図２，１３参照）。施工方法は、埋め戻されずに残存する第一空間Ｓ１の部分を埋戻土で埋め戻す手順（埋戻工程の第三段階）を含んでもよい。第一空間Ｓ１のうち埋め戻しの対象とする範囲は、諸条件を考慮して適宜決定される。
【００７０】
＜実施形態の効果＞
実施形態によれば、次のような効果を得ることができる。
【００７１】
（１）施工方法は、法面Ｅを含む地盤にコンクリート構造物１５を施工する。施工方法は、型枠工程と、埋戻工程と、打設工程とを含む。型枠工程は、残存型枠１０を法面Ｅの前方に法面Ｅと並べて設置する（図１参照）。残存型枠１０は、コンクリート構造物１５に残存し且つコンクリート構造物１５の外面を形成する。埋戻工程は、型枠工程の開始後、法面Ｅと残存型枠１０との間の第一空間Ｓ１を埋戻土で埋め戻す（図１参照）。打設工程は、型枠工程及び埋戻工程の開始後、残存型枠１０の整列方向の前側に残存型枠１０によって形成される第二空間Ｓ２にコンクリートを打設する（図１参照）。残存型枠１０の整列方向の前側は、法面Ｅの前方に一致する。
【００７２】
施工方法によれば、第二空間Ｓ２へのコンクリート打設前に、第一空間Ｓ１を埋め戻すことができる。その後、第二空間Ｓ２にコンクリートを打設することができる。法面Ｅを早期に安定化させることができる。埋め戻される第一空間Ｓ１の上方からこの第一空間Ｓ１への落下物を低減することができる。コンクリート構造物１５の施工を安全且つ円滑に進めることができる。コンクリート構造物１５の工期を短縮することができる。
【００７３】
型枠工程、埋戻工程及び打設工程を含む施工方法において、型枠工程は、第一型枠を法面Ｅの前方に法面Ｅと並べて設置し、第二型枠を第一型枠の前方に第一型枠と並べて設置する、工程ともいえ、打設工程は、型枠工程及び埋戻工程の開始後、第一型枠と第二型枠との間となる第一型枠及び第二型枠によって形成される第二空間（第一型枠及び第二型枠内）にコンクリートを打設する、工程ともいえる。埋戻工程は、上記同様、型枠工程の開始後、法面Ｅと第一型枠との間の第一空間を埋戻土で埋め戻す、工程である。一対の第一型枠及び第二型枠は、法面Ｅを含む地盤にコンクリート構造物１５を施工する場合の成形用型枠である。実施形態に基づけば、第一型枠は、残存型枠１０に対応し、第二型枠は、残存型枠１１に対応する。
【００７４】
（２）支持金具５０は、複数の型枠材４０が連続して設けられる残存型枠１０で、隣り合う型枠材４０（第一型枠材及び第二型枠材）に固定される（図１，５，６参照）。残存型枠１０は、法面Ｅの前方（配置方向の前側）に法面Ｅと並べて設置される（図１，２，８〜１３参照）。残存型枠１０は、法面Ｅを含む地盤にコンクリート構造物１５を施工するコンクリート打設用である。支持金具５０は、第一部分５５と、第二部分６５と、座屈防止部７０とを含む（図３，４参照）。第一部分５５は、型枠材４０に固定される（図４〜６参照）。第二部分６５は、第一部分５５と一体をなし、地盤側に固定される（図１，３，４参照）。座屈防止部７０は、次の押圧力に対して支持金具５０の座屈を防止する（図４参照）。前述の押圧力は、残存型枠１０の型枠材４０を法面Ｅの前方に一致する整列方向の前側に押し付ける。座屈防止部７０は、第二部分６５に設けられる（図３〜５，７参照）。
【００７５】
残存型枠１０は、複数の型枠材４０と、支持金具５０とを備える（図４〜６参照）。複数の型枠材４０は、連続して設けられる（図１，２，５，６参照）。支持金具５０は、隣り合う型枠材４０（第一型枠材及び第二型枠材）に固定される（図５，６参照）。複数の型枠材４０は、法面Ｅと残存型枠１０との間の第一空間Ｓ１に埋め戻される埋戻土と接する（図１参照）。複数の型枠材４０は、法面Ｅの前方に一致する整列方向の前側に押し付けられる（図４参照）。
【００７６】
支持金具５０及び残存型枠１０によれば、支持金具５０の座屈強度を高め、支持金具５０に圧縮力を作用させることができる。残存型枠１０の設置時、連続して設けられた複数の型枠材４０を整列方向の前側に押し付けることが可能となる。従って、第二空間Ｓ２へのコンクリート打設前に、第一空間Ｓ１を埋め戻すことができる。その後、第二空間Ｓ２にコンクリートを打設することができる。コンクリート構造物１５の施工を安全且つ円滑に進めることができる。コンクリート構造物１５の工期を短縮することができる。
【００７７】
地盤へのコンクリート構造物１５の施工時、残存型枠１０，１１がこの地盤に設けられるとする（図１，２，１３参照）。地盤は、施工方法の実施に先立ち掘削される。例えば、残存型枠１０が掘削された法面Ｅの前方（整列方向の前側）に法面Ｅと並べて設置されるとする。施工方法の実施時、作業者は、この法面Ｅを背にし又はこれと向かい合って作業しなければならないことがある。発明者は、このような状況下では、上方からの落下物を想定しておく必要があり、これへの対策が重要であると考えた。上方からの落下物の例としては、法面Ｅからの落下物（例えば、落石）又は法面Ｅの崩壊が挙げられる。この点に関し、実施形態の施工方法によれば、残存型枠１０の設置時、型枠材４０を配置方向の所定の位置まで設置させた状態で、設置済みの型枠材４０の範囲で第一空間Ｓ１を埋め戻すことができる（図８〜１２参照）。これに伴い、法面Ｅを早期に安定化させることができる。前述の上方からの落下物を低減することができる。
【００７８】
仮に施工方法の実施途中に落下物があったとしても、残存型枠１０の支柱部材２０に対して設置済みの型枠材４０が防護壁として機能する。従って、作業者は、このような設置済みの型枠材４０より整列方向の前側でこれを防護壁として安全に作業を継続することができる。
【００７９】
施工方法の第四手順で作業者は、第三手順（埋戻工程の第一段階）で埋め戻された埋戻土上面を作業床として、支柱部材２０に対して整列方向の後側から型枠工程を実施することができる。第六手順で作業者は、第五手順（埋戻工程の第二段階）で埋め戻された埋戻土上面を作業床として、支柱部材２０に対して整列方向の後側から型枠工程を実施することができる。例えば、作業者が埋戻土上面で施工方法の第四手順又は第六手順の型枠工程の作業を実施している際に落下物があったとする。この場合、作業者は、残存型枠１０の支柱部材２０に対して設置済みの型枠材４０を越えて整列方向の前側に退避することができる。
【００８０】
第一空間Ｓ１で法面Ｅと残存型枠１０との間の整列方向の間隔が配置方向の第一側から第二側に広くなる場合、埋戻土の上面は、埋め戻し前の作業床より広くなる（図１，８〜１２参照）。従って、第一空間Ｓ１を複数回に分けて埋め戻す場合、第一空間Ｓ１での作業を安全且つ効率的に行うことができる。
【００８１】
（３）第一部分５５及び第二部分６５は、板状の形状を有する（図３参照）。第一部分５５は、複数の型枠材４０のうちの隣り合う、第一型枠材と第二型枠材とに挟まれる（図５，６参照）。第二部分６５は、支柱部材２０と係合する（図４参照）。座屈防止部７０は、第二部分６５の配置方向の第二側で、配置方向の第一側に窪んだ凹状の形状を有し、第二部分６５の配置方向の第一側で、配置方向の第一側に突出した凸状の形状を有する（図６参照）。この凸状は、凹状に対応する。
【００８２】
この構成によれば、支持金具５０に座屈防止部７０を容易に設けることができる。座屈防止部７０をシンプルな構成とすることができる。
【００８３】
打設工程で打設されたコンクリートは、第一型枠材と第二型枠材とに挟まれずに露出する第二部分６５の外周にも充填され、第二部分６５を覆う。コンクリート内の空気又は打設時に巻き込まれた空気は、コンクリート内を上方（配置方向の第二側）に移動する。実施形態とは異なり、座屈防止部は、配置方向の第二側を凸状とし且つ配置方向の第一側を凹状とすることもできる。但し、このような構成では、前述の空気は、配置方向の第一側に開口する凹状の内部に溜まり易くなる。この点に関し、座屈防止部７０は、配置方向の第二側を凹状とし、配置方向の第一側を凸状とすることで、前述の空気が凹状の内部に溜まることを抑制することができる。
【００８４】
＜変形例＞
実施形態は、次のようにすることもできる。以下に示す変形例のうちの幾つかの構成は、適宜組み合わせて採用することもできる。以下では、上記とは異なる点を説明することとし、同様の点についての説明は適宜省略する。
【００８５】
（１）座屈防止部７０は、第二部分６５に設けられる（図３〜５，７参照）。座屈防止部は、支持金具の第一部分に設けてもよい。この場合、支持金具の第一部分の座屈防止部は、支持金具の第二部分の座屈防止部と連続していてもよく、又は支持金具の第二部分の座屈防止部とは分離していてもよい。
【００８６】
（２）実施形態は、本願と発明者が同じである上述の特許文献１が開示する技術を適宜採用することができる。例えば、上記では、支持金具５０とこの支持金具５０の配置方向の第一側の型枠材４０（第一型枠材）とは、支持金具５０とは別体の締結具９５によって固定される。支持金具の第一部分は、第一突起と、第二突起とを含んでもよい。第一突起は、残存型枠の状態で配置方向の第一側に突出する。第二突起は、突起５７に対応し、残存型枠の状態で配置方向の第二側に突出する。型枠工程は、上記同様、支持金具の第一部分を型枠材４０（第一型枠材）の配置方向の第二側の面上に配置する。その際、第一突起は、型枠材４０（第一型枠材）に食い込む。
【００８７】
（３）法面Ｅを含む地盤にコンクリート構造物１５を施工するコンクリート打設用の型枠として、法面Ｅの前方（整列方向の前側）に設けられる第一型枠を残存型枠１０とし、第一型枠の前方に設けられる第二型枠を残存型枠１１とした（図１，２，１３参照）。第一型枠は、残存型枠１０とは異なる型式（構造）としてもよく、第二型枠は、残存型枠１１とは異なる型式（構造）としてもよい。但し、法面Ｅの前方の第一型枠は、埋戻工程で第一空間Ｓ１を埋め戻すことから残存型枠となる。これに対して、第一型枠（残存型枠）の前方に設けられる第二型枠は、残存型枠でなくてもよい。第二型枠は、施工方法の終了後に撤去されてもよい。第一型枠及び第二型枠の一方又は両方を残存型枠とする場合、この残存型枠は、支持金具５０を含まなくてもよい。例えば、第一型枠及び第二型枠の一方又は両方は、ピアスワンダーとしてもよい。第一型枠及び第二型枠の型式（構造）は、諸条件を考慮して適宜決定される。
【００８８】
残存型枠１０は、支柱部材２０を備える（図１，４〜１３参照）。支持金具５０は、支柱部材２０に固定される（図４参照）。実施形態では、地盤に基礎９０を設け、支柱部材２０は、この基礎９０に設けられる。従って、第二部分６５は、支柱部材２０を介して地盤側に固定される。残存型枠は、支柱部材を省略してもよい。残存型枠が支柱部材を含まない場合、支持金具の第二部分は、基礎９０に固定されてもよい。更に、支持金具の第二部分は、地盤に直接固定されてもよい。この場合、支持金具は、基礎９０又は地盤に固定可能な所定の形状を有する。
【符号の説明】
【００８９】
１０，１１  残存型枠、  １５、コンクリート構造物、  ２０  支柱部材
２１  縦材、  ２２  横材、  ２３  斜材、  ２５，２６  爪、  ２７  分割外面
２８  配置外面、  ３０  連結材、  ４０，４１，４２，４３  型枠材
５０  支持金具、  ５５  第一部分、  ５６  取付孔、  ５７  突起、  ５８  貫通孔
６０  第一止め部、  ６１  第二止め部、  ６２  貫通孔、  ６５  第二部分
６６  貫通孔、  ６７  支柱収容部、  ６８  くびれ部、  ７０  座屈防止部
９０  基礎、  ９１  基礎面、  ９５  締結具、  θ１，θ２  傾斜角
Ｅ  法面、  Ｇ  隙間、  Ｓ１  第一空間、  Ｓ２  第二空間
【要約】
【課題】コンクリート構造物の施工を安全且つ円滑に進め、コンクリート構造物の工期を短縮することができる技術を提供する。
【解決手段】法面を含む地盤へのコンクリート構造物の施工方法は、型枠工程と、埋戻工程と、打設工程とを含む。型枠工程は、残存型枠を法面の前方に法面と並べて設置する。残存型枠は、コンクリート構造物に残存し且つコンクリート構造物の外面を形成する。埋戻工程は、型枠工程の開始後、法面と残存型枠との間の第一空間を埋戻土で埋め戻す。打設工程は、型枠工程及び埋戻工程の開始後、残存型枠の法面と残存型枠とが並ぶ整列方向の前側に残存型枠によって形成される第二空間にコンクリートを打設する。整列方向の前側は、法面の前方に一致する。
【選択図】図１【図１】
0006881795.tif 000002
【図２】
0006881795.tif 000003
【図３】
0006881795.tif 000004
【図４】
0006881795.tif 000005
【図５】
0006881795.tif 000006
【図６】
0006881795.tif 000007
【図７】
0006881795.tif 000008
【図８】
0006881795.tif 000009
【図９】
0006881795.tif 000010
【図１０】
0006881795.tif 000011
【図１１】
0006881795.tif 000012
【図１２】
0006881795.tif 000013
【図１３】
0006881795.tif 000014